(57)【要約】【課題】画像形成装置の機能使用可能媒体装着部に装着された機能使用可能媒体の取忘れを防止することにより、前記機能使用可能媒体の盗難を他者の不正使用を防止すること。【解決手段】画像形成装置Ｕの機能使用可能媒体着脱部Ｕ４ａに機能使用可能媒体が装着された場合に機能の使用を可能にする使用許可手段Ｃ４と、シートに画像を記録する媒体装着時画像記録装置Ｕ１と、機能使用可能媒体を取出不可能な施錠状態に保持する施錠状態保持手段Ｃ８と、画像記録シートを取出不能に収容する取出不能トレイＴＲａと、画像記録シートを取出可能な状態にする施錠状態解除手段Ｃ９と、機能使用可能媒体が取出されたか否かを検出する媒体取出検出手段Ｃ６と、画像記録シートを取出可能な取出可能トレイＴＲｈに収容された状態とする取出可能トレイ収容手段Ｃ７と、を有する画像形成装置Ｕ。【選択図】  図２
2007171557.tif 000002
【特許請求の範囲】
【請求項１】
次の構成要件（Ａ01）〜（Ａ07）を備えた画像形成装置、
（Ａ01）画像形成装置の機能使用可能媒体着脱部に機能使用可能媒体が装着された場合に画像形成装置の機能の使用を可能にする使用許可手段、
（Ａ02）前記機能使用可能媒体着脱部に前記機能使用可能媒体が装着された状態で画像記録用のシートに画像を記録する媒体装着時画像記録装置、
（Ａ03）前記機能使用可能媒体着脱部に装着された機能使用可能媒体を取出不可能な施錠状態に保持する施錠状態保持手段、
（Ａ04）前記媒体装着時画像記録装置により画像が記録された前記画像記録シートを画像形成装置外部に取出不能に収容する取出不能トレイ、
（Ａ05）前記機能使用可能媒体着脱部に装着され且つ前記施錠状態に保持された機能使用可能媒体を、前記機能使用可能媒体着脱部から取出可能な状態にする施錠状態解除手段、
（Ａ06）前記媒体装着時画像記録装置の前記画像記録動作の終了後に前記取出可能な状態になった前記機能使用可能媒体が取出されたか否かを検出する媒体取出検出手段、
（Ａ07）前記機能使用可能媒体が取出されたことを前記媒体取出検出手段が検出した場合に、前記取出不能トレイに収容された前記画像記録シートを画像形成装置外部に取出可能な取出可能トレイに収容された状態とする取出可能トレイ収容手段。
【請求項２】
次の構成要件（Ａ01），（Ａ02a），（Ａ03），（Ａ05），（Ａ06a），（Ａ07a），（Ａ07b）を備えた画像形成装置、
（Ａ01）画像形成装置の機能使用可能媒体着脱部に機能使用可能媒体が装着された場合に画像形成装置の機能の使用を可能にする使用許可手段、
（Ａ02a）前記機能使用可能媒体着脱部に前記機能使用可能媒体が装着された状態で画像記録用のシートに記録するための画像を読み込んで記憶する媒体装着時画像読込記憶装置、
（Ａ03）前記機能使用可能媒体着脱部に装着された機能使用可能媒体を取出不可能な施錠状態に保持する施錠状態保持手段、
（Ａ05）前記機能使用可能媒体着脱部に装着され且つ前記施錠状態に保持された機能使用可能媒体を、前記機能使用可能媒体着脱部から取出可能な状態にする施錠状態解除手段、
（Ａ06a）前記媒体装着時画像読込記憶装置の前記画像読込動作の終了後に前記取出可能な状態になった前記機能使用可能媒体が取出されたか否かを検出する媒体取出検出手段、
（Ａ07a）前記機能使用可能媒体が取出されたことを前記媒体取出検出手段が検出した場合に、前記媒体装着時画像読込記憶装置に記憶された画像を前記シートに記録する媒体取出後画像記録装置、
（Ａ07b）前記画像が記録された画像記録シートを画像形成装置外部に取出可能な取出可能トレイに収容された状態とする取出可能トレイ収容手段。
【請求項３】
次の構成要件（Ａ08），（Ａ09）を備えた請求項１または２記載の画像形成装置、
（Ａ08）識別番号が読取可能に記憶されたＩＤカードにより構成された前記機能使用可能媒体、
（Ａ09）前記機能使用可能媒体着脱部に前記ＩＤカードが装着された場合に前記画像形成装置の機能の使用を許可されたＩＤカードか否かを判別するＩＤカード判別手段を有し、前記ＩＤカード判別手段が前記使用を許可されたＩＤカードであると判別した場合に前記画像形成装置の機能の使用を可能にするＩＤカード認証手段を有する前記使用許可手段。
【請求項４】
次の構成要件（Ａ08′），（Ａ09′）を備えた請求項１または２記載の画像形成装置、
（Ａ08′）前記機能使用可能媒体着脱部に装着された状態で正しいパスワードが入力された場合に画像形成装置の機能の使用を可能とするパスワード型機能使用可能媒体により構成された前記機能使用可能媒体、
（Ａ09′）前記機能使用可能媒体着脱部にパスワード型機能使用可能媒体が装着された状態でパスワードが入力された場合に前記入力されたパスワードが正しいパスワードであるか否かを判別するパスワード判別手段を有し、前記パスワード判別手段が前記入力されたパスワードを正しいと判別した場合に前記画像形成装置の機能の使用を可能にするパスワード認証手段を有する前記使用許可手段。
【請求項５】
次の構成要件（Ａ010）〜（Ａ013）を備えた請求項４記載の画像形成装置、
（Ａ010）識別番号が読取可能に記憶された前記パスワード型機能使用可能媒体、
（Ａ011）前記パスワード認証手段により前記画像形成装置の機能の使用が可能な認証状態になった時点または前記認証状態が解除された時点を基準にして設定した時間が経過するまでの経過時間を計測する経過時間計測手段、
（Ａ012）前記経過時間計測手段が前記経過時間計測中は前記パスワード型記憶媒体の前記識別番号を記憶する識別番号一時記憶手段、
（Ａ013）前記設定した時間が経過するまでの経過時間内に前記識別番号と同一の識別番が記憶されたパスワード型機能使用可能媒体が前記機能使用可能媒体着脱部に装着された場合には、前記パスワード認証を省略して前記画像形成装置の機能の使用を可能にする前記使用許可手段。
【請求項６】
次の構成要件（Ａ014）〜（Ａ016）を備えた請求項１または２記載の画像形成装置、
（Ａ014）前記機能使用可能媒体着脱部に装着された状態で画像形成装置の使用料の清算を行う支払い型機能使用可能媒体により構成された前記機能使用可能媒体、
（Ａ015）前記機能使用可能媒体着脱部からの前記支払い型機能使用可能媒体の取出操作が行われた際に前記支払い型機能使用可能媒体に対して前記使用料の支払い清算を行う使用料精算手段、
（Ａ016）前記使用料の支払い清算が行われた後に、前記画像が記録された前記シートを画像形成装置外部に取出可能な取出可能トレイに収容された状態とする前記取出可能トレイ収容手段。
【請求項７】
次の構成要件（Ａ017）を備えた請求項６記載の画像形成装置、
（Ａ017）プリペイドカードにより構成された前記支払い型機能使用可能媒体。
【請求項８】
次の構成要件（Ａ018）を備えた請求項６または７記載の画像形成装置、
（Ａ018）前記支払い型機能使用可能媒体の支払い可能金額よりも使用料の方が多くて前記支払い可能金額が不足している場合には、画像形成装置の機能使用可能媒体着脱部に別の支払い型機能使用可能媒体を装着することを要求する媒体追加要求手段。
【請求項９】
次の構成要件（Ａ019）を備えた請求項６または７記載の画像形成装置、
（Ａ019）前記支払い型機能使用可能媒体の支払い可能金額よりも使用料の方が多くて前記支払い可能金額が不足している場合には、前記シートに画像記録を行う前に、支払い可能金額が不足しているので画像記録を行うことができない旨をユーザに告知する金額不足告知手段。
【請求項１０】
次の構成要件（Ａ020）を備えた請求項９記載の画像形成装置、
（Ａ020）前記支払い型機能使用可能媒体の支払い可能金額よりも使用料の方が多くて前記支払い可能金額が不足している場合には、前記シートに画像記録を行う前に、前記支払い型機能使用可能媒体により構成された前記機能使用可能媒体を機能使用可能媒体着脱部から自動的に排出する媒体自動排出手段。
【発明の詳細な説明】
【技術分野】
【０００１】
本発明は、機能使用可能媒体（ＩＤカード、プリペイドカード等）が着脱可能に装着される機能使用可能媒体着脱部を有する画像形成装置に関し、特に、ユーザが前記機能使用可能媒体を前記機能使用可能媒体着脱部に装着した場合に、前記ユーザに画像形成装置の機能の使用を許可する使用許可手段を備えた画像形成装置に関する。
【背景技術】
【０００２】
前記種類の画像形成装置として、次の従来技術（Ｊ01），（Ｊ02）が公知である。
（Ｊ01）｛特許文献１（特開２０００−２０１２４５号公報）記載の従来技術｝
特許文献１の請求項７には、次の記載がある。
「請求項１記載の画像形成装置において、該画像形成装置は、利用者の識別情報が記載されている利用者識別媒体を装着可能に構成され、画像形成装置は、利用者識別媒体が装着されたときに、利用者識別媒体に記憶されている利用者の識別情報を読み取り、記憶保持する識別情報読取保持手段と、利用者が代わったとき、識別情報読取保持手段に記憶保持されている直前の利用者の識別情報を提示する提示手段とを、さらに備えていることを特徴とする画像形成装置。」
【０００３】
（Ｊ02）使用料金をプリペイドカード等で支払う画像形成装置
また、プリペイドカードのような支払い型の機能使用可能媒体を使用する画像形成装置では、画像形成装置により画像が記録された画像記録シートを全頁分排出した状態で、利用料金の清算を行うものがある。
【０００４】
【特許文献１】特開２０００−２０１２４５号公報（請求項７の記載参照）
【発明の開示】
【発明が解決しようとする課題】
【０００５】
（前記従来技術（Ｊ01）すなわち、特許文献１記載の技術の問題点）
前記特許文献１記載の画像形成装置では、ユーザが画像形成装置を使用した後で、前記画像形成装置の利用者識別媒体装着部（本発明の機能使用可能媒体装着部に相当）に装着した利用者識別媒体（本発明の機能使用可能媒体（ＩＤカード、プリペイドカード等）に相当）を取忘れ（置忘れ）することがあった。前記取忘れた機能使用可能媒体（ＩＤカード、プリペイドカード等）は、盗まれて不正使用されるおそれがある。
【０００６】
（前記従来技術（Ｊ02）の問題点）
前記従来技術（Ｊ02）のような画像形成装置では、画像形成装置が画像記録シートを排出している途中で且つ利用料金の清算を行う前に、前記支払い型機能使用可能媒体が、前記画像形成装置の機能使用可能媒体装着部から取出された場合、利用料金を支払わずに画像記録シートが持ち去られるおそれがある。
【０００７】
本発明は、前述の事情に鑑み、次の記載内容（Ｏ01），（Ｏ02）を技術的課題とする。
（Ｏ01）画像形成装置の機能使用可能媒体装着部に装着された機能使用可能媒体（ＩＤカード（利用者識別カード）、プリペイドカード、等）の取忘れ（置忘れ）を防止することにより、前記機能使用可能媒体の盗難を他者の不正使用を防止すること。
（Ｏ02）画像形成装置の動作中での支払い型機能使用可能媒体（プリペイドカード等）の不正取出による、未払い不正利用を防止すること。
【課題を解決するための手段】
【０００８】
（本発明）
次に、前記課題を解決した本発明を説明するが、本発明の要素には、後述の実施の形態の具体例（実施例）の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００９】
（第１発明）
前記技術的課題を解決するため、第１明の画像形成装置は次の構成要件（Ａ01）〜（Ａ07）を備えたことを特徴とする。
（Ａ01）画像形成装置（Ｕ）の機能使用可能媒体着脱部（Ｕ４ａ）に機能使用可能媒体が装着された場合に画像形成装置（Ｕ）の機能の使用を可能にする使用許可手段（Ｃ４，Ｃ４′）、
（Ａ02）前記機能使用可能媒体着脱部（Ｕ４ａ）に前記機能使用可能媒体が装着された状態で画像記録用のシートに画像を記録する媒体装着時画像記録装置（Ｕ１）、
（Ａ03）前記機能使用可能媒体着脱部（Ｕ４ａ）に装着された機能使用可能媒体を取出不可能な施錠状態に保持する施錠状態保持手段（Ｃ８）、
（Ａ04）前記媒体装着時画像記録装置（Ｕ１）により画像が記録された前記画像記録シートを画像形成装置（Ｕ）外部に取出不能に収容する取出不能トレイ（ＴＲａ）、
（Ａ05）前記機能使用可能媒体着脱部（Ｕ４ａ）に装着され且つ前記施錠状態に保持された機能使用可能媒体を、前記機能使用可能媒体着脱部（Ｕ４ａ）から取出可能な状態にする施錠状態解除手段（Ｃ９）、
（Ａ06）前記媒体装着時画像記録装置（Ｕ１）の画像記録動作の終了後に前記取出可能な状態になった前記機能使用可能媒体が取出されたか否かを検出する媒体取出検出手段（Ｃ６）、
（Ａ07）前記機能使用可能媒体が取出されたことを前記媒体取出検出手段（Ｃ６）が検出した場合に、前記取出不能トレイ（ＴＲａ）に収容された前記画像記録シートを画像形成装置（Ｕ）外部に取出可能な取出可能トレイ（ＴＲｈ）に収容された状態とする取出可能トレイ収容手段（Ｃ７）。
【００１０】
（第１発明の作用）
前記構成要件（Ａ01）〜（Ａ07）を備えた第１明の画像形成装置では、使用許可手段（Ｃ４，Ｃ４′）は、画像形成装置（Ｕ）の機能使用可能媒体着脱部（Ｕ４ａ）に機能使用可能媒体が装着された場合に画像形成装置（Ｕ）の機能の使用を可能にする。
媒体装着時画像記録装置（Ｕ１）は、前記機能使用可能媒体着脱部（Ｕ４ａ）に前記機能使用可能媒体が装着された状態で画像記録用のシートに画像を記録する。
施錠状態保持手段（Ｃ８）は、前記機能使用可能媒体着脱部（Ｕ４ａ）に装着された機能使用可能媒体を取出不可能な施錠状態に保持する。
取出不能トレイ（ＴＲａ）は、前記媒体装着時画像記録装置（Ｕ１）により画像が記録された前記画像記録シートを画像形成装置（Ｕ）外部に取出不能に収容する。
前記機能使用可能媒体着脱部（Ｕ４ａ）に装着され且つ前記施錠状態に保持された機能使用可能媒体を、前記機能使用可能媒体着脱部（Ｕ４ａ）から取出可能な状態にする施錠状態解除手段（Ｃ９）、
媒体取出検出手段（Ｃ６）は、前記媒体装着時画像記録装置（Ｕ１）の画像記録動作の終了後に前記取出可能な状態になった前記機能使用可能媒体が取出されたか否かを検出する。
取出可能トレイ収容手段（Ｃ７）は、前記機能使用可能媒体が取出されたことを前記媒体取出検出手段（Ｃ６）が検出した場合に、前記取出不能トレイ（ＴＲａ）に収容された前記画像記録シートを画像形成装置（Ｕ）外部に取出可能な取出可能トレイ（ＴＲｈ）に収容された状態とする。
【００１１】
（第２発明）
第２発明の画像形成装置は、次の構成要件（Ａ01），（Ａ02a），（Ａ03），（Ａ05），（Ａ06），（Ａ07a），（Ａ07b）を備えたことを特徴とする。
（Ａ01）画像形成装置（Ｕ）の機能使用可能媒体着脱部（Ｕ４ａ）に機能使用可能媒体が装着された場合に画像形成装置（Ｕ）の機能の使用を可能にする使用許可手段（Ｃ４，Ｃ４′）、
（Ａ02a）前記機能使用可能媒体着脱部（Ｕ４ａ）に前記機能使用可能媒体が装着された状態で画像記録用のシートに記録するための画像を読み込んで記憶する媒体装着時画像読込記憶装置（Ｕ２）、
（Ａ03）前記機能使用可能媒体着脱部（Ｕ４ａ）に装着された機能使用可能媒体を取出不可能な施錠状態に保持する施錠状態保持手段（Ｃ８）、
（Ａ05）前記機能使用可能媒体着脱部（Ｕ４ａ）に装着され且つ前記施錠状態に保持された機能使用可能媒体を、前記機能使用可能媒体着脱部（Ｕ４ａ）から取出可能な状態にする施錠状態解除手段（Ｃ９）、
（Ａ06a）前記媒体装着時画像読込記憶装置（Ｕ２）の前記画像読込動作の終了後に前記取出可能な状態になった前記機能使用可能媒体が取出されたか否かを検出する媒体取出検出手段（Ｃ６）、
（Ａ07a）前記機能使用可能媒体が取出されたことを前記媒体取出検出手段（Ｃ６）が検出した場合に、前記媒体装着時画像読込記憶装置（Ｕ２）に記憶された画像を前記シートに記録する媒体取出後画像記録装置（Ｕ１）、
（Ａ07b）前記画像が記録された画像記録シートを画像形成装置（Ｕ）外部に取出可能な取出可能トレイ（ＴＲｈ）に収容された状態とする取出可能トレイ収容手段（Ｃ７）。
【００１２】
（第２発明の作用）
前記構成要件（Ａ01），（Ａ02a），（Ａ03），（Ａ05），（Ａ06），（Ａ07a），（Ａ07b）を備えた第２発明の画像形成装置では、使用許可手段（Ｃ４，Ｃ４′）は、画像形成装置（Ｕ）の機能使用可能媒体着脱部（Ｕ４ａ）に機能使用可能媒体が装着された場合に画像形成装置（Ｕ）の機能の使用を可能にする。
媒体装着時画像読込記憶装置（Ｕ２）は、前記機能使用可能媒体着脱部（Ｕ４ａ）に前記機能使用可能媒体が装着された状態で画像記録用のシートに記録するための画像を読み込んで記憶する。
施錠状態保持手段（Ｃ８）は、前記機能使用可能媒体着脱部（Ｕ４ａ）に装着された機能使用可能媒体を取出不可能な施錠状態に保持する。
施錠状態解除手段（Ｃ９）は、前記機能使用可能媒体着脱部（Ｕ４ａ）に装着され且つ前記施錠状態に保持された機能使用可能媒体を、前記機能使用可能媒体着脱部（Ｕ４ａ）から取出可能な状態にする。
媒体取出検出手段（Ｃ６）は、前記媒体装着時画像読込記憶装置（Ｕ２）の前記画像読込動作の終了後に前記取出可能な状態になった前記機能使用可能媒体が取出されたか否かを検出する。
媒体取出後画像記録装置（Ｕ１）は、前記機能使用可能媒体が取出されたことを前記媒体取出検出手段（Ｃ６）が検出した場合に、前記媒体装着時画像読込記憶装置（Ｕ２）に記憶された画像を前記シートに記録する。
取出可能トレイ収容手段（Ｃ７）は、前記画像が記録された画像記録シートを画像形成装置（Ｕ）外部に取出可能な取出可能トレイ（ＴＲｈ）に収容された状態とする。
【００１３】
（本発明の形態１）
本発明の形態１の画像形成装置は、前記第１発明または第２発明において次の構成要件（Ａ08），（Ａ09）を備えたことを特徴とする。
（Ａ08）識別番号が読取可能に記憶されたＩＤカードにより構成された前記機能使用可能媒体、
（Ａ09）前記機能使用可能媒体着脱部（Ｕ４ａ）に前記ＩＤカードが装着された場合に前記画像形成装置（Ｕ）の機能の使用を許可されたＩＤカードか否かを判別するＩＤカード判別手段（Ｃ４ａ）を有し、前記ＩＤカード判別手段（Ｃ４ａ）が前記使用を許可されたＩＤカードであると判別した場合に前記画像形成装置（Ｕ）の機能の使用を可能にするＩＤカード認証手段（Ｃ４ｂ）を有する前記使用許可手段（Ｃ４）。
【００１４】
（本発明の形態１の作用）
前記構成要件（Ａ08），（Ａ09）を備え本発明の形態１の画像形成装置では、前記機能使用可能媒体を構成するＩＤカードは、識別番号が読取可能に記憶される。
前記使用許可手段（Ｃ４）のＩＤカード判別手段（Ｃ４ａ）は、前記機能使用可能媒体着脱部（Ｕ４ａ）に前記ＩＤカードが装着された場合に前記画像形成装置（Ｕ）の機能の使用を許可されたＩＤカードか否かを判別する。前記ＩＤカード判別手段（Ｃ４ａ）が前記使用を許可されたＩＤカードであると判別した場合に、前記使用許可手段（Ｃ４′）のＩＤカード認証手段（Ｃ４ｂ）は、前記画像形成装置（Ｕ）の機能の使用を可能にする。
【００１５】
（本発明の形態２）
本発明の形態２の画像形成装置は、前記第１発明または第２発明において次の構成要件（Ａ08′），（Ａ09′）を備えたことを特徴とする。
（Ａ08′）前記機能使用可能媒体着脱部（Ｕ４ａ）に装着された状態で正しいパスワードが入力された場合に画像形成装置（Ｕ）の機能の使用を可能とするパスワード型機能使用可能媒体により構成された前記機能使用可能媒体、
（Ａ09′）前記機能使用可能媒体着脱部（Ｕ４ａ）にパスワード型機能使用可能媒体が装着された状態でパスワードが入力された場合に前記入力されたパスワードが正しいパスワードであるか否かを判別するパスワード判別手段（Ｃ４ｃ）を有し、前記パスワード判別手段（Ｃ４ｃ）が前記入力されたパスワードを正しいと判別した場合に前記画像形成装置（Ｕ）の機能の使用を可能にするパスワード認証手段（Ｃ４ｄ）を有する前記使用許可手段（Ｃ４′）。
【００１６】
（本発明の２形態の作用）
前記構成要件（Ａ08′），（Ａ09′）を備えた本発明の形態２の画像形成装置では、前記機能使用可能媒体を構成するパスワード型機能使用可能媒体は、前記機能使用可能媒体着脱部（Ｕ４ａ）に装着された状態で正しいパスワードが入力された場合に画像形成装置（Ｕ）の機能の使用を可能とする。
前記使用許可手段（Ｃ４′）のパスワード判別手段（Ｃ４ｃ）は、前記機能使用可能媒体着脱部（Ｕ４ａ）にパスワード型機能使用可能媒体が装着された状態でパスワードが入力された場合に前記入力されたパスワードが正しいパスワードであるか否かを判別する。前記使用許可手段（Ｃ４′）のパスワード認証手段（Ｃ４ｄ）は、前記パスワード判別手段（Ｃ４ｃ）が前記入力されたパスワードを正しいと判別した場合に前記画像形成装置（Ｕ）の機能の使用を可能にする。
【００１７】
（本発明の形態３）
本発明の形態３の画像形成装置は、前記本発明の形態２において、次の構成要件（Ａ010）〜（Ａ013）を備えたことを特徴とする。
（Ａ010）識別番号が読取可能に記憶された前記パスワード型機能使用可能媒体、
（Ａ011）前記パスワード認証手段（Ｃ４ｄ）により前記画像形成装置（Ｕ）の機能の使用が可能な認証状態になった時点または前記認証状態が解除された時点を基準にして設定した時間が経過するまでの経過時間を計測する経過時間計測手段（Ｃ１２）、
（Ａ012）前記経過時間計測手段（Ｃ１２）が前記経過時間計測中は前記パスワード型記憶媒体の前記識別番号を記憶する識別番号一時記憶手段（Ｃ１３）、
（Ａ013）前記設定した時間が経過するまでの経過時間内に前記識別番号と同一の識別番が記憶されたパスワード型機能使用可能媒体が前記機能使用可能媒体着脱部（Ｕ４ａ）に装着された場合には、前記パスワード認証を省略して前記画像形成装置（Ｕ）の機能の使用を可能にする前記使用許可手段（Ｃ４′）。
【００１８】
（本発明の形態３の作用）
前記構成要件（Ａ010）〜（Ａ013）を備えた本発明の形態３の画像形成装置では、識別番号が読取可能に記憶された前記パスワード型機能使用可能媒体、
経過時間計測手段（Ｃ１２）は、前記パスワード認証手段（Ｃ４ｄ）により前記画像形成装置（Ｕ）の機能の使用が可能な認証状態になった時点または前記認証状態が解除された時点を基準にして設定した時間が経過するまでの経過時間を計測する、。
識別番号一時記憶手段（Ｃ１３）は、前記経過時間計測手段（Ｃ１２）が前記経過時間計測中は前記パスワード型記憶媒体の前記識別番号を記憶する。
前記設定した時間が経過するまでの経過時間内に前記識別番号と同一の識別番が記憶されたパスワード型機能使用可能媒体が前記機能使用可能媒体着脱部（Ｕ４ａ）に装着された場合には、前記使用許可手段（Ｃ４′）は、前記パスワード認証を省略して前記画像形成装置（Ｕ）の機能の使用を可能にする。
【００１９】
（本発明の形態４）
本発明の形態４の画像形成装置は、前記第１発明または第２発明において次の構成要件（Ａ014）〜（Ａ016）を備えたことを特徴とする。
（Ａ014）前記機能使用可能媒体着脱部（Ｕ４ａ）に装着された状態で画像形成装置（Ｕ）の使用料の清算を行う支払い型機能使用可能媒体により構成された前記機能使用可能媒体、
（Ａ015）前記機能使用可能媒体着脱部（Ｕ４ａ）からの前記支払い型機能使用可能媒体の取出操作が行われた際に前記支払い型機能使用可能媒体に対して前記使用料の支払い清算を行う使用料精算手段（Ｃ１４）、
（Ａ016）前記使用料の支払い清算が行われた後に、前記画像が記録された前記シートを画像形成装置（Ｕ）外部に取出可能な取出可能トレイ（ＴＲｈ）に収容された状態とする前記取出可能トレイ収容手段（Ｃ７）。
【００２０】
（本発明の形態４の作用）
前記構成要件（Ａ014）〜（Ａ016）を備えた本発明の形態４の画像形成装置（Ｕ）では、前記機能使用可能媒体を構成する支払い型機能使用可能媒体は、前記機能使用可能媒体着脱部（Ｕ４ａ）に装着された状態で画像形成装置（Ｕ）の使用料の清算を行うことができる。
使用料精算手段（Ｃ１４）は、前記機能使用可能媒体着脱部（Ｕ４ａ）からの前記支払い型機能使用可能媒体の取出操作が行われた際に前記支払い型機能使用可能媒体に対して前記使用料の支払い清算を行う。
前記取出可能トレイ収容手段（Ｃ７）は、前記使用料の支払い清算が行われた後に、前記画像が記録された前記シートを画像形成装置（Ｕ）外部に取出可能な取出可能トレイ（ＴＲｈ）に収容された状態とする。
【００２１】
（本発明の形態５）
本発明の形態５の画像形成装置は、前記本発明の形態４において、次の構成要件（Ａ017）を備えたことを特徴とする。
（Ａ017）プリペイドカードにより構成された前記支払い型機能使用可能媒体。
（本発明の形態５の作用）
前記構成要件（Ａ017）を備えた本発明の形態５の画像形成装置（Ｕ）では、前記支払い型機能使用可能媒体は、プリペイドカードにより構成される。したがって、使用料精算手段（Ｃ１４）は、前記機能使用可能媒体着脱部（Ｕ４ａ）からの前記プリペイドカード（支払い型機能使用可能媒体）の取出操作が行われた際に前記プリペイドカード（支払い型機能使用可能媒体）に対して前記使用料の支払い清算を行う。
前記取出可能トレイ収容手段（Ｃ７）は、前記プリペイドカードで前記画像形成装置（Ｕ）の使用料の支払い清算が行われた後に、前記画像が記録された前記シートを画像形成装置（Ｕ）外部に取出可能な取出可能トレイ（ＴＲｈ）に収容された状態とする。
【００２２】
（本発明の形態６）
本発明の形態６の画像形成装置は、前記本発明の形態４または５において、次の構成要件（Ａ018）を備えたことを特徴とする。
（Ａ018）前記支払い型機能使用可能媒体の支払い可能金額よりも使用料の方が多くて前記支払い可能金額が不足している場合には、画像形成装置（Ｕ）の機能使用可能媒体着脱部（Ｕ４ａ）に別の支払い型機能使用可能媒体を装着することを要求する媒体追加要求手段（Ｃ１５）。
【００２３】
（本発明の形態６の作用）
前記構成要件（Ａ018）を備えた本発明の形態６の画像形成装置では、前記支払い型機能使用可能媒体の支払い可能金額よりも使用料の方が多くて前記支払い可能金額が不足している場合には、媒体追加要求手段（Ｃ１５）は、画像形成装置（Ｕ）の機能使用可能媒体着脱部（Ｕ４ａ）に別の支払い型機能使用可能媒体を装着することを要求する。
【００２４】
（本発明の形態７）
本発明の形態７の画像形成装置は、前記本発明の形態４または５において、次の構成要件（Ａ019）を備えたことを特徴とする。
（Ａ019）前記支払い型機能使用可能媒体の支払い可能金額よりも使用料の方が多くて前記支払い可能金額が不足している場合には、前記シートに画像記録を行う前に、支払い可能金額が不足しているので画像記録を行うことができない旨をユーザに告知する金額不足告知手段（Ｃ１６）。
【００２５】
（本発明の形態７の作用）
前記構成要件（Ａ019）を備えた本発明の形態７の画像形成装置では、前記支払い型機能使用可能媒体の支払い可能金額よりも使用料の方が多くて前記支払い可能金額が不足している場合には、金額不足告知手段（Ｃ１６）は、前記シートに画像記録を行う前に、支払い可能金額が不足しているので画像記録を行うことができない旨をユーザに告知する。
【００２６】
（本発明の形態８）
本発明の形態８の画像形成装置は、前記本発明の形態７において、次の構成要件（Ａ020）を備えたことを特徴とする。
（Ａ020）前記支払い型機能使用可能媒体の支払い可能金額よりも使用料の方が多くて前記支払い可能金額が不足している場合には、前記シートに画像記録を行う前に、前記支払い型機能使用可能媒体により構成された前記機能使用可能媒体を機能使用可能媒体着脱部（Ｕ４ａ）から自動的に排出する媒体自動排出手段（Ｃ１７）。
【００２７】
（本発明の形態８の作用）
前記構成要件（Ａ020）を備えた本発明の形態８の画像形成装置では、前記支払い型機能使用可能媒体の支払い可能金額よりも使用料の方が多くて前記支払い可能金額が不足している場合には、媒体自動排出手段（Ｃ１７）は、前記シートに画像記録を行う前に、前記支払い型機能使用可能媒体により構成された前記機能使用可能媒体を機能使用可能媒体着脱部（Ｕ４ａ）から自動的に排出する。
【発明の効果】
【００２８】
前述の本発明は、下記の効果（Ｅ01），（Ｅ02）を奏する。
（Ｅ01）画像形成装置の機能使用可能媒体装着部に装着された機能使用可能媒体（ＩＤカード（利用者識別カード）、プリペイドカード、等）の取忘れ（置忘れ）を防止することにより、前記機能使用可能媒体の盗難を他者の不正使用を防止することができる。
（Ｅ02）画像形成装置の動作中での支払い型機能使用可能媒体（プリペイドカード等）の不正取出による、未払い不正利用を防止することができる。
【発明を実施するための最良の形態】
【００２９】
次に図面を参照しながら、本発明の実施の形態の具体例（実施例）を説明するが、本発明は以下の実施例に限定されるものではない。
【実施例１】
【００３０】
図１は本実施例の画像形成装置の説明図である。
図１において、画像形成装置Ｕは、画像記録が行われる画像記録装置（ＩＯＴ（イメージアウトプットターミナル）、媒体装着時画像記録装置、媒体取出後画像記録装置）Ｕ１と、原稿画像を読取る画像読取装置（ＩＩＴ（イメージインプットターミナル）、媒体装着時画像読込記憶装置）Ｕ２と、前記スキャナ部Ｕ２の画像読取り位置に原稿を自動的に搬送する自動原稿搬送装置（ＡＤＦ（オートドキュメントフィーダ））Ｕ３と、ＩＤカード（機能使用可能媒体）が挿入されるカードボクスＵ４と、を有する。
前記画像記録部Ｕ１には、給紙用のシート（印刷用紙）が収容される複数の給紙トレイＴＲと、画像記録済みのシートが取出し不能な状態で蓄積される取出不能トレイ（内部トレイ）ＴＲａ（後述の図２参照）と、前記取出不能トレイＴＲａに蓄積された画像記録済シートが排紙される取出可能トレイ（排出トレイ）ＴＲｈと、が設けられている。
【００３１】
前記画像読取装置Ｕ２は、ユーザがコピースタート等の作動指令信号を入力操作するＵＩ（ユーザインタフェース）を有している。
前記自動原稿搬送装置Ｕ３は、複写しようとする複数の原稿が重ねて載置される原稿給紙トレイＴＧ１と、前記画像読取装置Ｕ２の複写位置を通過して排出される原稿排紙トレイＴＧ２と、を有している。
前記カードボックスＵ４は、パスワード入力が不要なＩＤカードが挿入・排出されるカード挿入・排出口（機能使用可能媒体着脱部）Ｕ４ａと、前記カード挿入・排出口Ｕ４ａに挿入したＩＤカードを排出（イジェクト）するためのカードイジェクトボタンＵ４ｂと、前記カード挿入・排出口Ｕ４ａから排出されて取出可能な状態になった前記ＩＤカードが取出されたことを検出するカード取出検出センサＵ４ｃ（後述の図２参照）と、を有している。
【００３２】
（画像形成装置Ｕの機能）
図２は実施例１の画像形成装置の機能をブロック（機能ブロック）で示したブロック線図である。
図２において、画像形成装置ＵのコントローラＣは、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、ハードディスクやＲＯＭ等に記憶されたプログラムに応じた処理を行うＣＰＵ（中央演算処理装置）、ならびにクロック発振器等を有している。
前記構成の画像形成装置Ｕは、前記ハードディスクやＲＯＭ等に記憶されたプログラムを実行することにより種々の機能を実現することができる。
【００３３】
前記画像形成装置ＵのコントローラＣには、信号出力要素としての前記ＵＩ（ユーザインターフェース）および前記カードボックスＵ４のカードイジェクトボタンＵ４ｂが接続されている。前記ＵＩは、コピースタートキーＵＩ１、テンキーＵＩ２および表示器ＵＩ３等を有している。前記カードボックスＵ４のカードイジェクトボタンＵ４ｂは、前記カード挿入・排出口Ｕ４ａに挿入したＩＤカードを排出させるための信号を前記コントローラＣに出力する。また、前記コントローラＣは、画像記録装置Ｕ１（プリンタ部）、画像読取装置Ｕ２（スキャナ部）、自動原稿搬送装置Ｕ３、およびカードボックスＵ４等の制御信号を出力する。
前記コントローラＣは、次に説明する各機能実現手段（プログラムモジュール）を有している。
【００３４】
（画像形成装置ＵのコントローラＣの機能）
Ｃ１：自動原稿搬送装置制御手段
自動原稿搬送装置制御手段Ｃ１は、コピースタートキーＵＩ１の入力に応じて、自動原稿搬送装置Ｕ３の動作を制御して、自動原稿搬送装置Ｕ３にセットされた原稿を画像読取装置Ｕ２の原稿読取り位置に搬送する。
Ｃ２：画像読取装置制御手段
画像読取装置制御手段Ｃ２は、コピースタートキーＵＩ１の入力に応じて、画像読取装置Ｕ２の動作を制御して、プラテンガラス上の原稿または自動原稿搬送装置Ｕ３により搬送された原稿の画像を読取る。
Ｃ３：画像記録装置制御手段
画像記録装置制御手段Ｃ３は、前記画像読取装置Ｕ２で読取った原稿画像に応じて記録用紙に画像を記録する。
【００３５】
Ｃ４：使用許可手段
使用許可手段Ｃ４は、ＩＤカード判別手段Ｃ４ａと、ＩＤカード認証手段Ｃ４ｂと、を有している。
Ｃ４ａ：ＩＤカード判別手段
ＩＤカード判別手段Ｃ４ａは、前記カード挿入・排出口Ｕ４ａに前記ＩＤカードが装着された場合に前記画像形成装置Ｕの機能の使用を許可されたＩＤカードか否かを判別する。
Ｃ４ｂ：ＩＤカード認証手段
ＩＤカード認証手段Ｃ４は、前記カード挿入・排出口Ｕ４ａに挿入されたＩＤカードが認証された場合に、前記画像形成装置Ｕの機能（コピー機能、ＦＡＸ機能、スキャナ機能等）の使用を許可する。
Ｃ５：取出不能トレイ収容手段
取出不能トレイ収容手段Ｃ５は、前記画像記録装置Ｕ１により画像が記録された画像記録済シートを画像形成装置Ｕ外部に取出不能に収容する取出不能トレイＴＲａに蓄積する。
Ｃ６：媒体取出検出手段
媒体取出検出手段Ｃ６は、前記カード取出検出センサＵ４ｃの検出信号により、前記カード挿入・排出口Ｕ４ａから排出されて取出可能な状態になった前記ＩＤカードが取出されたことを検出する。
【００３６】
Ｃ７：取出可能トレイ収容手段
取出可能トレイ収容手段Ｃ７は、前記ＩＤカードが取出れたことを前記媒体取出検出手段Ｃ６が検出した場合に、前記取出不能トレイＴＲａに収容された画像記録済シートを画像形成装置Ｕ外部に取出可能な取出可能トレイに収容された状態とする。
Ｃ８：施錠状態保持手段
施錠状態保持手段Ｃ８は、前記カード挿入・排出口Ｕ４ａに装着されたＩＤカードを取出不可能な施錠状態に保持する。
Ｃ９：施錠状態解除手段
施錠状態解除手段Ｃ９は、前記カード挿入・排出口Ｕ４ａに装着され且つ前記施錠状態に保持された前記ＩＤカードを、前記カード挿入・排出口Ｕ４ａから取出可能な状態にする。
Ｃ１０：使用情報記憶メモリ
使用情報記憶メモリＣ１０は、ＩＤ番号、印刷枚数ｎ、使用用紙サイズ等の印刷情報を記憶する。
【００３７】
（実施例１のフローチャートの説明）
（画像形成装置のメインフローチャートの説明）
図３は実施例１の画像形成装置のフローチャートである。
図３のフローチャートの各ＳＴ（ステップ）の処理は、前記画像形成装置ＵのコントローラＣのＲＯＭやハードディスク等に記憶されたプログラムに従って行われる。また、この処理は画像形成装置Ｕの他の各種処理と並行してマルチタスクで実行される。
図３に示す画像形成装置のフローチャートは画像形成装置Ｕの電源オンにより開始される。
【００３８】
図３のＳＴ（ステップ）１において、パスワード入力不要のＩＤカードが前記カード挿入・排出口Ｕ４ａに挿入されたか否かを判別する。ノー（Ｎ）の場合は前記ＳＴ１に繰り返し実行し、イエス（Ｙ）の場合はＳＴ２に移る。
ＳＴ２において、前記カード挿入・排出口Ｕ４ａに挿入されたＩＤカードを施錠状態（ＩＤカード取出不能状態）に保持し、ＳＴ３に移る。
ＳＴ３において、前記画像形成装置Ｕの機能を使用許可されたＩＤカードか否かを判別する。ノー（Ｎ）の場合はＳＴ４に移り、イエス（Ｙ）の場合はＳＴ５に移る。
ＳＴ４において、次の処理（１），（２）を実行して、前記ＳＴ１に戻る。
（１）前記カード挿入・排出口Ｕ４ａに挿入されたＩＤカードが認証不可であることを利用者に告知する。
（２）前記カード挿入・排出口Ｕ４ａに挿入されたＩＤカードをイジェクト（排出）する。
【００３９】
ＳＴ５において、印刷パラメータ設定処理を実行し、ＳＴ６に移る。なお、前記印刷パラメータ設定処理は、用紙サイズ設定、印字濃度設定、倍率設定等のことであり、一般的に使用されている画像形成装置で設定する処理であるため詳細な説明は省略する。
ＳＴ６において、前記ＵＩのコピースタートキーＵＩ１が入力されたか否かを判別する。ノー（Ｎ）の場合は前記ＳＴ５に戻り、イエス（Ｙ）の場合はＳＴ７に移る。
ＳＴ７において、印刷頁数ｎ＝０にし、ＳＴ８に移る。
ＳＴ８において、印刷データが有るか否かを判別する。ノー（Ｎ）の場合はＳＴ１０に移り、イエス（Ｙ）の場合はＳＴ９に移る。
ＳＴ９において、次の処理（１），（２）を実行して、前記ＳＴ８に戻る。
（１）１頁分印刷処理して取出不能トレイＴＲａに排出（蓄積）する。
（２）印刷頁数ｎ＝ｎ＋１にする。
ＳＴ１０において、ＩＤカード取出操作指示を前記表示器ＵＩ３に表示して、ＳＴ１１に移る。
【００４０】
ＳＴ１１において、カードイジェクトボタンＵ４ｂが入力されたか否かを判別する。ノー（Ｎ）の場合はＳＴ１１を繰り返し実行し、イエス（Ｙ）の場合はＳＴ１２に移る。
ＳＴ１２において、印刷情報（ＩＤ番号、印刷頁数ｎ、用紙サイズ等）を使用情報記憶メモリＣ１０に記憶して、ＳＴ１３に移る。
ＳＴ１３において、次の処理（１），（２）を実行して、ＳＴ１４に移る。
（１）認証状態を解除する。
（２）前記ＳＴ１でカード挿入・排出口Ｕ４ａに挿入されたＩＤカードをイジェクト（排出）する。すなわち、前記ＩＤカードの施錠状態を解除する。
ＳＴ１４において、カードが取出されたか否かを判別する。すなわち、前記カード挿入・排出口Ｕ４ａから排出されて取出可能な状態になったＩＤカードを認証者が取出したか否かを判別する。ノー（Ｎ）の場合はＳＴ１４を繰り返し実行し、イエス（Ｙ）の場合はＳＴ１５に移る。
ＳＴ１５において、画像記録済シートを取出可能トレイＴＲｈに排出する。
【００４１】
（実施例１の作用）
前記構成を備えた実施例１の画像形成装置Ｕでは、画像が記録されたシート（画像記録済シート）は、取出不能トレイＴＲａに蓄積される。そして、ＩＤカード取出操作（カードイジェクトボタンＵ４ｂの入力）後に、カード挿入・排出口Ｕ４ａから排出されて取出可能な状態になったＩＤカードを認証者が取出したか否かを判別する。前記ＩＤカードが取出された場合（すなわち、前記ＩＤカードを認証者が取出したことをカード取出検出センサＵ４ｃの検出信号に基づいて媒体取出検出手段Ｃ６が検出した場合）、前記取出不能トレイＴＲａに蓄積された画像記録済シートを取出可能トレイＴＲｈに排出する。このため、前記ＩＤカードの取忘れ（置忘れ）を防止することができる。したがって、前記ＩＤカードの盗難（カードの取忘れまたは置忘れによる盗難）による他者の不正使用を防止することができる。
また、実施例１の画像形成装置Ｕは、施錠状態保持手段Ｃ７により、ＩＤカードの不正取出し（すなわち、使用情報記憶前にＩＤカードを取出すこと）を防止することができるので、前記画像形成装置Ｕの不正使用を防止することができる。
【００４２】
（実施例２）
図４は実施例２の画像形成装置の機能をブロック（機能ブロック）で示したブロック線図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図４において、実施例２のコントローラＣは、ＩＤカード取出後画像記録手段Ｃ１１を備えている。
【００４３】
（実施例２の画像形成装置ＵのコントローラＣの機能）
Ｃ１１：ＩＤカード取出後画像記録手段
ＩＤカード取出後画像記録手段Ｃ１１は、画像記憶メモリＣ１１ａを有しており、画像データを読取って画像記憶メモリＣ１１ａに記憶した後でＩＤカードが取出されたことが検出されると、シートに画像を記録する。
Ｃ１１ａ：画像記憶メモリ
画像記憶メモリＣ１１ａは、読取った原稿の画像データを記憶する。
【００４４】
（実施例２の画像形成装置のフローチャートの説明）
図５は実施例２の画像形成装置のフローチャートである。
なお、前記図５は、前記実施例１の図３に示す実施例１の画像形成装置のフローチャートに対応する図面である。
図５に示す実施例２の画像形成装置のフローチャートは、前記図３に示す画像形成装置のフローチャートと下記の点で相違している。なお、図５のフローチャートの説明において、前記図３のフローチャートのＳＴ（ステップ）と同一の処理に対しては同一のスッテップ（ＳＴ）番号を付して詳細な説明を省略する。
【００４５】
図５のＳＴ６でノー（Ｎ）の場合はＳＴ７′において、読込頁数ｍ＝０にし、ＳＴ８に移る。
ＳＴ８でイエス（Ｙ）の場合はＳＴ９′において、次の処理（１），（２）を実行して、ＳＴ８に戻る。
（１）１頁分の画像を読取って画像記憶メモリＣ１１ａに記憶する。
（２）読込頁数ｍ＝ｍ＋１にする。
ＳＴ１４でイエス（Ｙ）の場合はＳＴ１５ａにおいて、前記画像記憶メモリＣ１１ａに記憶された印刷データが有るか否かを判別する。ノー（Ｎ）の場合は前記ＳＴ１に戻り、イエス（Ｙ）の場合はＳＴ１５ｂに移る。
ＳＴ１５ｂにおいて、１頁分印刷処理して画像記録済シートを取出可能トレイＴＲｈに排出して、前記ＳＴ１５ａに戻る。
【００４６】
（実施例２の作用）
前記構成を備えた実施例２の画像形成装置Ｕでは、シートに記録する画像データは、画像記憶メモリＣ１１ａに記憶される。そして、ＩＤカード取出操作（カードイジェクトボタンＵ４ｂの入力）後に、カード挿入・排出口Ｕ４ａから排出されて取出可能な状態になったＩＤカードを認証者が取出したか否かを判別する。前記ＩＤカードが取出された場合（すなわち、前記ＩＤカードを認証者が取出した場合）、前記画像記憶メモリＣ１１ａに記憶された画像データをシートに記録して、前記取出可能トレイＴＲｈに排出する。
したがって、実施例２の画像形成装置Ｕは、前記実施例１の画像形成装置Ｕと同様に、前記ＩＤカードの取忘れ（置忘れ）を防止することができる。
【００４７】
（実施例３）
図６は実施例３の画像形成装置の機能をブロック（機能ブロック）で示したブロック線図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
図６において、実施例３のコントローラＣには、前記実施例１の使用許可手段Ｃ４が省略され、その代わりに、使用許可手段Ｃ４′と、経過時間計測手段Ｃ１２と、パスワードおよび識別番号記憶手段Ｃ１３と、が設けられている。
【００４８】
（実施例３の画像形成装置ＵのコントローラＣの機能）
Ｃ４′：使用許可手段
使用許可手段Ｃ４′は、パスワード判別手段Ｃ４ｃと、パスワード認証手段Ｃ４ｄと、パスワード認証省略手段Ｃ４ｅと、を有している。
Ｃ４ｃ：パスワード判別手段
パスワード判別手段Ｃ４ｃは、前記カード挿入・排出口Ｕ４ａにパスワード入力が必要なＩＤカード（パスワード型機能使用可能媒体）が装着された状態でパスワードが入力された場合に前記入力されたパスワードが正しいパスワードであるか否かを判別する。
Ｃ４ｄ：パスワード認証手段
パスワード認証手段Ｃ４ｄは、前記パスワード判別手段Ｃ４ｃが前記入力されたパスワードを正しいと判別した場合に前記画像形成装置Ｕの機能の使用を可能にする。
Ｃ４ｅ：パスワード認証省略手段
パスワード認証判別手段Ｃ４ｅは、前回の認証解除時に計測タイマＴＭ１に設定した時間（ＴＭ１ａ）が経過するまでの経過時間内に前回認証時に識別番号と同一の識別番号を有するＩＤカードが前記カード挿入・排出口Ｕ４ａに装着された場合に、前記パスワード認証手段Ｃ４ｄを省略して前記画像形成装置Ｕの機能の使用を可能にする。
【００４９】
Ｃ１２：経過時間計測手段
経過時間計測手段Ｃ１２は、計測タイマＴＭ１を有している。前記計測タイマＴＭ１は、前記画像形成装置Ｕの認証状態が解除された時点から設定時間ＴＭ１ａが経過するまでの経過時間を計測する。
Ｃ１３：識別番号一時記憶手段
識別番号一時記憶手段Ｃ１３は、識別番号一時記憶メモリＣ１３ａを有している。前記識別番号一時記憶メモリＣ１３ａは、前記カード挿入・排出口Ｕ４ａに挿入されたＩＤカードが認証を受けた場合、そのＩＤカードの識別番号を一時記憶する。
ＦＬ１：タイマ状態判別フラグ
タイマ状態判別フラグＦＬ１は、前記計測タイマＴＭ１が作動中か否かを判別するためのフラグである。前記タイマ状態判別フラグＦＬ１＝「０」の状態では、前記計測タイマＴＭ１が停止している状態を意味する。前記タイマ状態判別フラグＦＬ１＝「１」の状態では、前記計測タイマＴＭ１が作動中であることを意味する。
【００５０】
（実施例３の画像形成装置のフローチャートの説明）
図７は実施例３の画像形成装置のフローチャートである。
なお、前記図７は、前記実施例１の図３に示す実施例１の画像形成装置のフローチャートに対応する図面である。
図７に示す実施例３の画像形成装置のフローチャートは、前記図３に示す画像形成装置のフローチャートと下記の点で相違している。なお、図７のフローチャートの説明において、前記図３のフローチャートのＳＴ（ステップ）と同一の処理に対しては同一のスッテップ（ＳＴ）番号を付して詳細な説明を省略する。
【００５１】
図７において、実施例３の画像形成装置のフローチャートは画像形成装置Ｕの電源オンにより開始される。
図７のＳＴ１ａにおいて、パスワード入力が必要なＩＤカードが前記カード挿入・排出口Ｕ４ａに挿入されたか否かを判別する。ノー（Ｎ）の場合はＳＴ１ｂに移り、イエス（Ｙ）の場合はＳＴ２に移る。
ＳＴ１ｂにおいて、タイマ状態判別フラグＦＬ１＝「１」か否かを判別する。すなわち、前記計測タイマＴＭ１が作動中か否かを判別する。ノー（Ｎ）の場合は前記ＳＴ１ａに戻り、イエス（Ｙ）の場合はＳＴ１ｃに移る。
ＳＴ１ｃにおいて、計測タイマＴＭ１がタイムアップ（ＴＭ１≧ＴＭ１ａ）したか否かを判別する。ノー（Ｎ）の場合は前記ＳＴ１ａに戻り、イエス（Ｙ）の場合はＳＴ１ｄに移る。
ＳＴ１ｄにおいて、次の処理（１），（２）を実行して、前記ＳＴ１ａに戻る。
（１）識別番号一時記憶メモリＣ１３ａに記憶された識別番号を消去する。
（２）タイマ状態判別フラグＦＬ１＝「０」にする。
【００５２】
前記ＳＴ２の処理の後でＳＴ３ａにおいて、前記カード挿入・排出口Ｕ４ａに挿入されたＩＤカードと同一の識別番号が識別番号一時記憶メモリＣ１３ａに記憶されているか否かを判別する。ノー（Ｎ）の場合はＳＴ３ｂに移り、イエス（Ｙ）の場合はＳＴ５に移る。
ＳＴ３ｂにおいて、パスワード入力処理を実行して、ＳＴ３ｃに移る。
ＳＴ３ｃにおいて、前記ＳＴ３ｂで入力されたパスワードが正しいか否かを判別する。ノー（Ｎ）の場合はＳＴ４に移り、イエス（Ｙ）の場合はＳＴ３ｄに移る。
ＳＴ３ｄにおいて、識別番号を前記識別番号一時記憶メモリＣ１３ａに記憶し、ＳＴ５に移る。
ＳＴ１２の処理の後でＳＴ１３′において、次の処理（１）〜（４）を実行して、ＳＴ１４に移る。
（１）前記画像形成装置Ｕの認証状態を解除する。
（２）前記ＩＤカードをイジェクト（排出）する。すなわち、前記ＩＤカードの施錠状態を解除する。
（３）計測タイマＴＭ１に設定時間ＴＭ１ａをセットする。
（４）タイマ状態判別フラグＦＬ１＝「１」にする。
【００５３】
（実施例３の作用）
前記構成を備えた実施例３の画像形成装置Ｕでは、パスワードを入力して認証を受けたＩＤカードは、前記ＩＤカードの識別番号が識別番号一時記憶メモリＣ１３ａに記憶される。前記認証状態が解除されてから設定時間ＴＭ１ａ内に、画像形成装置Ｕを再度使用するために前回と同一のＩＤカードが挿入された場合、パスワード入力処理を省略して前記画像形成装置Ｕを使用することができる。したがって、一度認証を受けたＩＤカードは、前記画像形成装置Ｕの認証状態が解除されてからの設定時間ＴＭ１ａ内において、パスワードを入力する面倒な操作を省略することができる。
また、実施例３の画像形成装置Ｕは、前記実施例１の画像形成装置Ｕと同様に、前記ＩＤカードの取忘れ（置忘れ）を防止することができる。
【００５４】
（実施例４）
図８は実施例４の画像形成装置の機能をブロック（機能ブロック）で示したブロック線図である。
なお、この実施例４の説明において、前記実施例２の構成要素に対応する構成要素には同一の符号を付して、その詳細な説明を省略する。
この実施例４は、下記の点で前記実施例２と相違しているが、他の点では前記実施例２と同様に構成されている。
図８において、実施例４のコントローラＣには、前記実施例２のＩＤカード取出後画像記録手段Ｃ１１が省略され、その代わりに、プリペイドカード取出後画像記録手段（媒体取出後画像記録手段）Ｃ１１′、使用料精算手段Ｃ１４、プリペイドカード追加要求手段（媒体追加要求手段）Ｃ１５、金額不足告知手段Ｃ１６、およびプリペイドカード自動排出手段（媒体自動排出手段）Ｃ１７が設けられている。
【００５５】
（実施例４の画像形成装置ＵのコントローラＣの機能）
Ｃ１１′：プリペイドカード取出後画像記録手段
プリペイドカード取出後画像記録手段Ｃ１１′は、画像記憶メモリＣ１１ａを有しており、画像データを読取って画像記憶メモリＣ１１ａに記憶した後でプリペイドカードが取出されたことが検出されると、シートに画像を記録する。
Ｃ１１ａ：画像記憶メモリ
画像記憶メモリＣ１１ａは、読取った原稿の画像データを記憶する。
Ｃ１４：使用料精算手段
使用料精算手段Ｃ１４は、前記カード挿入・排出口Ｕ４ａからのプリペイドカード（支払い型機能使用可能媒体）の取出操作（カードイジェクトボタンＵ４ｂ入力）が行われた際に前記プリペイドカードに対して前記使用料の支払い清算を行う。
【００５６】
Ｃ１５：プリペイドカード追加要求手段
プリペイドカード追加要求手段Ｃ１５は、前記プリペイドカードの支払い可能金額よりも使用料の方が多くて前記支払い可能金額が不足している場合には、前記カード挿入・排出口Ｕ４ａに別のプリペイドカードを装着することを要求する
Ｃ１６：前記プリペイドカードの支払い可能金額よりも使用料の方が多くて前記支払い可能金額が不足している場合には、前記シートに画像記録を行う前に、支払い可能金額が不足しているので画像記録を行うことができない旨をユーザに告知する。
Ｃ１７：プリペイドカード自動排出手段
プリペイドカード自動排出手段Ｃ１７は、前記プリペイドカードの支払い可能金額よりも使用料の方が多くて前記支払い可能金額が不足している場合には、前記シートに画像記録を行う前に、前記プリペイドカードを前記カード挿入・排出口Ｕ４ａから自動的に排出する。
【００５７】
（実施例４のフローチャートの説明）
（画像形成装置のメインフローチャートの説明）
図９は実施例４の画像形成装置のフローチャートである。
図９のフローチャートの各ＳＴ（ステップ）の処理は、前記画像形成装置ＵのコントローラＣのＲＯＭやハードディスク等に記憶されたプログラムに従って行われる。また、この処理は画像形成装置Ｕの他の各種処理と並行してマルチタスクで実行される。
図９に示す画像形成装置のフローチャートは画像形成装置Ｕの電源オンにより開始される。
【００５８】
図９のＳＴ（ステップ）２１において、プリペイドカードが前記カード挿入・排出口Ｕ４ａに挿入されたか否かを判別する。ノー（Ｎ）の場合は前記ＳＴ２１に繰り返し実行し、イエス（Ｙ）の場合はＳＴ２２に移る。
ＳＴ２２において、前記カード挿入・排出口Ｕ４ａに挿入されたプリペイドカードを施錠状態（プリペイドカード取出不能状態）に保持し、ＳＴ２３に移る。
ＳＴ２３において、前記プリペイドカードに残金が有るか否かを判別する。ノー（Ｎ）の場合はＳＴ２４に移り、イエス（Ｙ）の場合はＳＴ２５に移る。
ＳＴ２４において、次の処理（１），（２）を実行して、前記ＳＴ２１に戻る。
（１）プリペイドカードの残金不足のため前記画像形成装置Ｕを使用することが不可能であることを利用者に告知する。
（２）前記カード挿入・排出口Ｕ４ａからプリペイドカードを自動で排出する。
【００５９】
ＳＴ２５において、印刷パラメータ設定処理を実行し、ＳＴ２６に移る。なお、前記印刷パラメータ設定処理は、用紙サイズ設定、印字濃度設定、倍率設定等のことであり、一般的に使用されている画像形成装置で設定する処理である。
ＳＴ２６において、前記ＵＩのコピースタートキーＵＩ１が入力されたか否かを判別する。ノー（Ｎ）の場合は前記ＳＴ２５に戻り、イエス（Ｙ）の場合はＳＴ２７に移る。
ＳＴ２７において、読込頁数ｍ＝０にし、ＳＴ２８に移る。
ＳＴ２８において、印刷データが有るか否かを判別する。ノー（Ｎ）の場合はＳＴ３０に移り、イエス（Ｙ）の場合はＳＴ２９に移る。
ＳＴ２９において、次の処理（１），（２）を実行して、前記ＳＴ２８に戻る。
（１）１頁分の画像を読取って画像記録メモリＣ１１ａに記憶する。
（２）読込頁数ｍ＝ｍ＋１にする。
【００６０】
ＳＴ３０において、プリペイドカードの残金≧料金（前記料金は前記ＳＴ２９の処理（２）により算出）か否かを判別する。ノー（Ｎ）の場合はＳＴ３１に移り、イエス（Ｙ）の場合はＳＴ３５に移る。
ＳＴ３１において、残金不足の旨を利用者に告知すると同時に追加のプリペイドカードを要求する画像とユーザがプリペイドカードを追加するかしないかを選択（入力）するアイコンとを有する画面を前記表示器ＵＩ３に表示する。そして、ＳＴ３２に移る。
ＳＴ３２において、前記ＳＴ３１で表示された画面で入力されたアイコンがプリペイドカードを追加するを選択（入力）したか否かを判別する。ノー（Ｎ）の場合は前記ＳＴ２４に移り、イエス（Ｙ）の場合はＳＴ３３に移る。
ＳＴ３３において、次の処理（１），（２）を実行して、ＳＴ３４に移る。
（１）一部課金清算処理をする。すなわち、料金不足のプリペイドカードの残金が０になるように清算する。
（２）使用済プリペイドカード（残金無しのプリペイドカード）をイジェクトする。
【００６１】
ＳＴ３４において、追加のプリペイドカードが挿入されたか否かを判別する。ノー（Ｎ）の場合はＳＴ３４を繰り返し実行し、イエス（Ｙ）の場合は前記ＳＴ３０に戻る。
ＳＴ３５において、プリペイドカード取出操作指示を前記表示器ＵＩ３に表示して、ＳＴ３６に移る。
ＳＴ３６において、カードイジェクトボタンＵ４ｂが入力されたか否かを判別する。ノー（Ｎ）の場合はＳＴ３６を繰り返し実行し、イエス（Ｙ）の場合はＳＴ３７に移る。
ＳＴ３７において、次の処理（１），（２）を実行して、ＳＴ３８に移る。
（１）課金清算処理を実行する
（２）前記カード挿入・排出口Ｕ４ａに挿入されたプリペイドカードをイジェクト（排出）する。すなわち、前記プリペイドカードの施錠状態を解除する。
【００６２】
ＳＴ３８において、プリペイドカードが取出されたか否かを判別する。すなわち、前記カード挿入・排出口Ｕ４ａから排出されて取出可能な状態になったプリペイドカードを利用者が取出したか否かを判別する。ノー（Ｎ）の場合はＳＴ３８を繰り返し実行し、イエス（Ｙ）の場合はＳＴ３９に移る。
ＳＴ３９において、前記画像記憶メモリＣ１１ａに記憶された印刷データが有るか否かを判別する。ノー（Ｎ）の場合は前記ＳＴ２１に戻り、イエス（Ｙ）の場合はＳＴ４０に移る。
ＳＴ４０において、１頁分印刷処理して画像記録済シートを取出可能トレイＴＲｈに排出して、前記ＳＴ３９に戻る。
【００６３】
（実施例４の作用）
前記構成を備えた実施例４の画像形成装置Ｕでは、プリペイドカードを使用することができる。また、前記実施例４の画像形成装置Ｕは、使用料金をプリペイドカードにより支払ってから前記プリペイドカードを排出する。そして、排出されて取出可能な状態になったプリペイドカードを利用者が取出してから前記画像記憶メモリＣ１１ａに記憶された画像データをシートに記録して、前記取出可能トレイＴＲｈに排出する。
したがって、実施例４の画像形成装置Ｕは、前記実施例２の画像形成装置Ｕと同様に、前記プリペイドカードの取忘れ（置忘れ）を防止することができる。
【００６４】
(変更例)
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）を下記に例示する。
（Ｈ01）前記実施例において、カードボックスＵ４が画像記録装置Ｕ１に支持されていたがこれに限定されず、画像形成装置ＵとカードボックスＵ４とを別体にすることも可能である。
【図面の簡単な説明】
【００６５】
【図１】図１は本実施例の画像形成装置の説明図である。
【図２】図２は実施例１の画像形成装置の機能をブロック（機能ブロック）で示したブロック線図である。
【図３】図３は実施例１の画像形成装置のフローチャートである。
【図４】図４は実施例２の画像形成装置の機能をブロック（機能ブロック）で示したブロック線図である。
【図５】図５は実施例２の画像形成装置のフローチャートである。
【図６】図６は実施例３の画像形成装置の機能をブロック（機能ブロック）で示したブロック線図である。
【図７】図７は実施例３の画像形成装置のフローチャートである。
【図８】図８は実施例４の画像形成装置の機能をブロック（機能ブロック）で示したブロック線図である。
【図９】図９は実施例４の画像形成装置のフローチャートである。
【符号の説明】
【００６６】
Ｃ１２…経過時間計測手段、
Ｃ１３…識別番号一時記憶手段、
Ｃ１４…使用料精算手段、
Ｃ１５…媒体追加要求手段、
Ｃ１６…金額不足告知手段、
Ｃ１７…媒体自動排出手段、
Ｃ４，Ｃ４′…使用許可手段、
Ｃ４ａ…ＩＤカード判別手段、
Ｃ４ｂ…ＩＤカード認証手段、
Ｃ４ｃ…パスワード判別手段、
Ｃ４ｄ…パスワード認証手段、
Ｃ６…媒体取出検出手段、
Ｃ７…取出可能トレイ収容手段、
Ｃ８…施錠状態保持手段、
Ｃ９…施錠状態解除手段、
ＴＲａ…取出不能トレイ、
ＴＲｈ…取出可能トレイ、
Ｕ…画像形成装置、
Ｕ１…媒体装着時画像記録装置、
Ｕ４ａ…機能使用可能媒体着脱部。
【図１】
2007171557.tif 000003
【図２】
2007171557.tif 000004
【図３】
2007171557.tif 000005
【図４】
2007171557.tif 000006
【図５】
2007171557.tif 000007
【図６】
2007171557.tif 000008
【図７】
2007171557.tif 000009
【図８】
2007171557.tif 000010
【図９】
2007171557.tif 000011